(57)【要約】【課題】ポンプ組立体を取り外しても容器本体周辺等を汚すことなく、また、外観も損なわれないポンプ式容器およびポンプ式容器用ピンチを提供する。【解決手段】内容液を入れる容器本体１０と、の容器本体１０の口部１１に着脱可能に設けられた蓋体２１と、蓋体２１に設けられたポンプ２２と、ポンプ２２を作動させてノズル２３から内容液を放出させる操作部２４と、ポンプ２２に接続され、容器本体１０内の内容液をポンプ２２に供給する供給管２５とを有するポンプ組立体２０と、を備え、ポンプ組立体２０の供給管２５またはポンプ２２に設けられ、蓋体２１を容器本体１０から取り外した状態で、容器本体１０の口部１１に掛けられることで、ポンプ組立体２０を口部１１で支持する引っ掛け部３０を有する。引っ掛け部は、供給管２５またはポンプ２２を把持するピンチで構成することもできる。。【選択図】図１
2020007004.tif 000002
【特許請求の範囲】
【請求項１】
内容液を入れる容器本体（１０）と、
この容器本体（１０）の口部（１１）に着脱可能に設けられた蓋体（２１）と、この蓋体（２１）に設けられたポンプ（２２）と、このポンプ（２２）を作動させてノズル（２３）から内容液を放出させる操作部（２４）と、前記ポンプ（２２）に接続され、前記容器本体（１０）内の内容液をポンプ（２２）に供給する供給管（２５）とを有するポンプ組立体（２０）と、
を備えたポンプ式容器であって、
前記ポンプ組立体（２０）の供給管（２５）またはポンプ（２２）に設けられ、前記蓋体（２１）を容器本体（１０）から取り外した状態で、容器本体（１０）の口部（１１）に掛けられることで、前記ポンプ組立体（２０）を前記口部（１１）で支持する引っ掛け部（３０）を有することを特徴とするポンプ式容器。
【請求項２】
内容液を入れる容器本体（１０）と、
この容器本体（１０）の口部（１１）に着脱可能に設けられた蓋体（２１）と、この蓋体（２１）に設けられたポンプ（２２）と、このポンプ（２２）を作動させてノズル（２３）から内容液を放出させる操作部（２４）と、前記ポンプ（２２）に接続され、前記容器本体（１０）内の内容液をポンプ（２２）に供給する供給管（２５）とを有するポンプ組立体（２０）と、
を備えたポンプ式容器のためのピンチであって、
前記ポンプ組立体（２０）の供給管（２５）またはポンプ（２２）を挟むことで当該供給管（２５）またはポンプ（２２）に保持されるピンチ本体（５１）と、このピンチ本体（５１）に設けられ、前記蓋体（２１）を容器本体（１０）から取り外した状態で、容器本体（１０）の口部（１１）に掛けられることで、前記ポンプ組立体（２０）を前記口部（１１）で支持する引っ掛け部（５３）を有することを特徴とするポンプ式容器用ピンチ。
【発明の詳細な説明】
【技術分野】
【０００１】
本発明は、ポンプ式容器およびポンプ式容器用ピンチに関するものである。
【背景技術】
【０００２】
従来、例えば特許文献１に見られるように、内容液を入れる容器本体（２）と、
この容器本体（２）の口部（１４）に着脱可能に設けられた蓋体（５）と、この蓋体（５）に設けられたポンプ（３）と、このポンプ（３）を作動させてノズル（９）から内容液を放出させる操作部（８）と、前記ポンプ（３）に接続され、前記容器本体（２）内の内容液をポンプ（３）に供給する供給管（４）とを有するポンプ組立体と、
を備えたポンプ式容器（１）が知られている。
【０００３】
このようなポンプ式容器には、内容液を補充することができるように、詰め替え容器が用意されていることがある。
詰め替え容器から内容液をポンプ式容器に移し替える際には、容器本体から、ポンプ組立体を取り外し、それを適所に置いて、内容液を移し替えることがある。
しかし、ポンプ組立体の少なくとも供給管には内容液が付着していたり、管内に内容液が残存したりしていることが多いため、ポンプ組立体を容器本体から取り外すと、容器本体周辺やポンプ組立体を置いた場所（洗面台等）が、内容液で汚れてしまうことがある。
【０００４】
そこで、このような問題を解決しようとしたものとして、例えば、特許文献２に見られるように、容器本体（１）に注入口（３）を設けたポンプ式容器が知られている。
このポンプ式容器によれば、ポンプ組立体を取り外すことなく、注入口（３）から内容液を補充できるから、ポンプ組立体を取り外すことによる上述したような汚れを防止することができる。
【０００５】
しかし、このポンプ式容器では、容器本体（１）に注入口（３）が設けられるため、容器の外観が損なわれるおそれがある。また、容器本体（１）と注入口（３）との間の密閉性が確保されない場合には、注入口（３）から容器内に水等が侵入してしまうおそれもある。
【先行技術文献】
【特許文献】
【０００６】
【特許文献１】特開２００６−２１３３５１号公報
【特許文献２】特開２００６−３４７６２２号公報
【発明の概要】
【発明が解決しようとする課題】
【０００７】
本発明が解決しようとする課題は、ポンプ組立体を取り外しても容器本体周辺等を汚すことなく（少なくとも汚しにくく）、また、外観も損なわれないポンプ式容器およびポンプ式容器用ピンチを提供することである。
【課題を解決するための手段】
【０００８】
上記課題を解決するために本発明のポンプ式容器は、
内容液を入れる容器本体と、
この容器本体の口部に着脱可能に設けられた蓋体と、この蓋体に設けられたポンプと、このポンプを作動させてノズルから内容液を放出させる操作部と、前記ポンプに接続され、前記容器本体内の内容液をポンプに供給する供給管とを有するポンプ組立体と、
を備えたポンプ式容器であって、
前記ポンプ組立体の供給管またはポンプに設けられ、前記蓋体を容器本体から取り外した状態で、容器本体の口部に掛けられることで、前記ポンプ組立体を前記口部で支持する引っ掛け部を有することを特徴とする。
【０００９】
このポンプ式容器によれば、容器本体から取り外したポンプ組立体を、引っ掛け部で容器本体の口部に支持することができる。引っ掛け部は、ポンプ組立体の供給管またはポンプに設けられるので、ポンプ組立体を、少なくともその供給管が容器本体内に配置される状態で支持することができる。
したがって、供給管に内容液が付着していたり、管内に内容液が残存していたとしても、それによって容器周辺が汚れるということがなくなる（少なくとも汚れにくくなる）。
また、例えば特許文献２に見られるような注入口も設ける必要が無いため、外観が損なわれるおそれもない。
【００１０】
すなわち、このポンプ式容器によれば、ポンプ組立体を取り外しても容器本体周辺等を汚すことなく（少なくとも汚しにくく）、また、外観も損なわれないようにすることができる。
【００１１】
また、上記課題を解決するために本発明のポンプ式容器用ピンチは、
内容液を入れる容器本体と、
この容器本体の口部に着脱可能に設けられた蓋体と、この蓋体に設けられたポンプと、このポンプを作動させてノズルから内容液を放出させる操作部と、前記ポンプに接続され、前記容器本体内の内容液をポンプに供給する供給管とを有するポンプ組立体と、
を備えたポンプ式容器のためのピンチであって、
前記ポンプ組立体の供給管またはポンプを挟むことで当該供給管またはポンプに保持されるピンチ本体と、このピンチ本体に設けられ、前記蓋体を容器本体から取り外した状態で、容器本体の口部に掛けられることで、前記ポンプ組立体を前記口部で支持する引っ掛け部を有することを特徴とする。
【００１２】
このポンプ式容器用ピンチによれば、容器本体から取り外したポンプ組立体を、その供給管を容器本体から完全には引き出さない状態で、ピンチ本体でポンプ組立体の供給管またはポンプを挟むことで当該供給管またはポンプに保持させる。
ピンチ本体には、容器本体の口部に掛けられることで、前記ポンプ組立体を前記口部で支持する引っ掛け部が設けられているので、この引っ掛け部で容器本体の口部にポンプ組立体を支持することができる。このピンチは、ポンプ組立体の供給管またはポンプに取り付けられるので、ポンプ組立体を、少なくともその供給管が容器本体内に配置される状態で支持することができる。
したがって、供給管に内容液が付着していたり、管内に内容液が残存していたとしても、それによって容器周辺が汚れるということがなくなる（少なくとも汚れにくくなる）。
また、例えば特許文献２に見られるような注入口も設ける必要が無いため、外観が損なわれるおそれもない。
【００１３】
すなわち、このポンプ式容器用ピンチによれば、ポンプ組立体を取り外しても容器本体周辺等を汚すことなく（少なくとも汚しにくく）、また、外観も損なわれないようにすることができる。
【図面の簡単な説明】
【００１４】
【図１】本発明に係るポンプ式容器の実施の形態を示す図で、（ａ）は部分切断正面図、（ｂ）は内容液補充時の説明図、（ｃ）は引っ掛け部３０の正面図、（ｄ）は同じく底面図、（ｄ）は引っ掛け部３０の変形例の底面図。
【図２】本発明に係るポンプ式容器用ピンチの実施の形態を示す図で、（ａ）は正面図、（ｂ）は底面図、（ｃ）は使用時の部分省略底面図、（ｄ）は内容液補充時の説明図。
【図３】ポンプ式容器の変形例を示す図。
【図４】ポンプ式容器用ピンチの変形例を示す図。
【発明を実施するための形態】
【００１５】
以下、本発明に係るポンプ式容器およびポンプ式容器用ピンチの実施の形態について図面を参照して説明する。なお、各図において、同一部分ないし相当する部分には、同一の符号を付してある。
【００１６】
図１に示すように、この実施の形態のポンプ式容器１は、内容液（図示せず。以下同じ）を入れる容器本体１０と、ポンプ組立体２０とを備えている。
【００１７】
ポンプ組立体２０は、容器本体１０の口部１１に着脱可能に設けられる蓋体２１と、この蓋体２１に設けられたポンプ２２と、このポンプ２２を作動させてノズル２３から内容液を放出させる操作部２４と、ポンプ２２に接続され、容器本体１０内の内容液をポンプ２２に供給する供給管２５とを有している。
【００１８】
そして、このポンプ式容器１は、引っ掛け部３０を有している。
引っ掛け部３０は、ポンプ組立体２０の供給管２５またはポンプ２２に設けられ、例えば図１（ｂ）に示すように、蓋体２１を容器本体１０から取り外した状態で、容器本体１０の口部１１に掛けられることで、ポンプ組立体２０を口部１１で支持する。
【００１９】
このポンプ式容器１によれば、例えば図１（ｂ）に示すように、容器本体１０から取り外したポンプ組立体２０を、引っ掛け部３０で容器本体１０の口部１１に支持することができる。引っ掛け部３０は、ポンプ組立体２０の供給管２５またはポンプ２２に設けられるので、ポンプ組立体２０を、少なくともその供給管２５が容器本体１０内に配置される状態で支持することができる。この状態で、例えば詰め替え容器（図示せず）から内容液を矢印Ａで示すように、容器本体１０に移し替える（補充する）ことができる。
【００２０】
したがって、供給管２５に内容液が付着していたり、管２５内に内容液が残存していたとしても、それによって容器周辺が汚れるということがなくなる（少なくとも汚れにくくなる）。供給管２５に内容液が付着していたり、管２５内に内容液が残存していたとしても、その内容液は容器本体１０内に落ちるだけである。
【００２１】
また、例えば特許文献２に見られるような注入口も設ける必要が無いため、外観が損なわれるおそれもない。
【００２２】
すなわち、このポンプ式容器１によれば、ポンプ組立体２０を取り外しても容器本体１０周辺等を汚すことなく（少なくとも汚しにくく）、また、外観も損なわれないようにすることができる。
【００２３】
引っ掛け部３０は、供給管２５またはポンプ２２に一体的に形成することもできるし、例えば図１（ｃ）（ｄ）に示すように、別体に形成して、供給管２５またはポンプ２２に装着するように構成することもできる。
【００２４】
引っ掛け部３０は、例えば図１（ｃ）（ｄ）に示すように、リング部３１と、このリング部３１と一体の掛け部３２とを有する構成とし、リング部３１に供給管２５またはポンプ２２を圧入または接着して取り付けるように構成することができる。
図示のものは、リング部３１は、供給管２５に装着される構成となっているが、拡径してポンプ部２２に装着されるようにすることもできる。
【００２５】
なお、リング部３１は、図１（ｅ）に示すようにＣリング状とすることもできる。このように構成すると、供給管２５またポンプ２２に対し、その軸線方向と直交する方向（図１（ｂ）において横方向）から、Ｃリング状リング部３１の弾性を利用して装着することもできるようになる。
【００２６】
図２は、ポンプ式容器用ピンチの実施の形態を示す図である。
このポンプ式容器用ピンチ５０は、内容液を入れる容器本体１０と、ポンプ組立体２０とを備えたポンプ式容器のためのピンチである。
【００２７】
このポンプ式容器用ピンチ５０は、ポンプ組立体２０の供給管２５またはポンプ２２を挟むことで供給管２５またはポンプ２２に保持されるピンチ本体５１と、このピンチ本体５１に設けられ、例えば図２（ｄ）に示すように蓋体２１を容器本体１０から取り外した状態で、容器本体１０の口部１１に掛けられることで、ポンプ組立体２０を口部１１で支持する引っ掛け部５３とを有している。なお、ピンチ本体５１の基本構成自体は公知の構成を採用でき、ピンチ本体５１は、図示しない付勢部材で供給管２５等を挟み部５４で挟持する方向に常時付勢されている。図示のピンチ本体５１は供給管２５を挟むのに適した大きさ、形状となっているが、ポンプ２２を挟むのに適した大きさ、形状とすることもできる。
【００２８】
このポンプ式容器用ピンチ５０によれば、例えば図２（ｄ）に示すように、容器本体１０から取り外したポンプ組立体２０を、その供給管２５を容器本体１０から完全には引き出さない状態で、ピンチ本体５１でポンプ組立体２０の供給管２５またはポンプ２２を挟むことで供給管２５またはポンプ２２に保持させる。
【００２９】
ピンチ本体５１には、容器本体１０の口部１１に掛けられることで、ポンプ組立体２０を口部１１で支持する引っ掛け部５３が設けられているので、この引っ掛け部５３で容器本体１０の口部１１にポンプ組立体２０を支持することができる。このピンチ５０は、ポンプ組立体２０の供給管２５またはポンプ２２に取り付けられるので、ポンプ組立体２０を、少なくともその供給管２５が容器本体１０内に配置される状態で支持することができる。この状態で、例えば詰め替え容器（図示せず）から内容液を矢印Ａで示すように、容器本体１０に移し替える（補充する）ことができる。
【００３０】
したがって、供給管２５に内容液が付着していたり、管２５内に内容液が残存していたとしても、それによって容器周辺が汚れるということがなくなる（少なくとも汚れにくくなる）。供給管２５に内容液が付着していたり、管２５内に内容液が残存していたとしても、その内容液は容器本体１０内に落ちるだけである。
【００３１】
また、例えば特許文献２に見られるような注入口も設ける必要が無いため、外観が損なわれるおそれもない。
【００３２】
すなわち、このポンプ式容器用ピンチ５０によれば、ポンプ組立体２０を取り外しても容器本体１０周辺等を汚すことなく（少なくとも汚しにくく）、また、外観も損なわれないようにすることができる。
【００３３】
以上、本発明の実施の形態について説明したが、本発明は上記の実施の形態に限定されるものではなく、本発明の要旨の範囲内において適宜変形実施可能である。
【００３４】
例えば、
容器本体１０自体、およびポンプ組立体２０自体は、公知の構造のものを採用することができる。したがって、ポンプ組立体は図示のようなプッシュ式のものに限らず、例えば特許文献１に見られるようなトリガー式を用いたポンプ組立体に対しても、この発明は適用可能である。
【００３５】
また、例えば図３に示すように、引っ掛け部３０は、容器本体１０に対しポンプ組立体２０を傾斜状態で支持するのに適した形状とすることもできる。
このように構成すると、容器本体１０の口部１１に向かう内容液の補充スペースを広げることができるので、内容液を補充しやすくなる。
【００３６】
同様に、例えば図４に示すように、ポンプ式容器用ピンチ５０のピンチ本体５１と引っ掛け部５３の形状も、容器本体１０に対しポンプ組立体２０を傾斜状態で支持するのに適した形状とすることができる。
【符号の説明】
【００３７】
１０：    容器本体
１１：    口部
２０：    ポンプ組立体
２１：    蓋体
２２：    ポンプ
２３：    ノズル
２４：    操作部
２５：    供給管
３０：    引っ掛け部
５０：    ポンプ式容器用ピンチ
５１：    ピンチ本体
５３：    引っ掛け部
【図１】
2020007004.tif 000003
【図２】
2020007004.tif 000004
【図３】
2020007004.tif 000005
【図４】
2020007004.tif 000006
【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
内容液を入れる容器本体（１０）と、
この容器本体（１０）の口部（１１）に着脱可能に設けられた蓋体（２１）と、この蓋体（２１）に設けられたポンプ（２２）と、このポンプ（２２）を作動させてノズル（２３）から内容液を放出させる操作部（２４）と、前記ポンプ（２２）に接続され、前記容器本体（１０）内の内容液をポンプ（２２）に供給する供給管（２５）とを有するポンプ組立体（２０）と、
を備えたポンプ式容器であって、
前記ポンプ組立体（２０）の供給管（２５）またはポンプ（２２）に設けられ、前記蓋体（２１）を容器本体（１０）から取り外した状態で、容器本体（１０）の口部（１１）に掛けられることで、前記ポンプ組立体（２０）を前記口部（１１）で支持する引っ掛け部（３０）を有し、
この引っ掛け部（３０）は、Ｃリング状のリング部（３１）と、このリング部（３１）と一体の掛け部（３２）とを有し、リング部（３１）に供給管（２５）またはポンプ（２２）を圧入して取り付けられることを特徴とするポンプ式容器。
【請求項２】
内容液を入れる容器本体（１０）と、
この容器本体（１０）の口部（１１）に着脱可能に設けられた蓋体（２１）と、この蓋体（２１）に設けられたポンプ（２２）と、このポンプ（２２）を作動させてノズル（２３）から内容液を放出させる操作部（２４）と、前記ポンプ（２２）に接続され、前記容器本体（１０）内の内容液をポンプ（２２）に供給する供給管（２５）とを有するポンプ組立体（２０）と、
を備えたポンプ式容器のためのピンチであって、
前記ポンプ組立体（２０）の供給管（２５）またはポンプ（２２）を挟むことで当該供給管（２５）またはポンプ（２２）に保持されるピンチ本体（５１）と、このピンチ本体（５１）に設けられ、前記蓋体（２１）を容器本体（１０）から取り外した状態で、容器本体（１０）の口部（１１）に掛けられることで、前記ポンプ組立体（２０）を前記口部（１１）で支持する引っ掛け部（５３）を有し、
この引っ掛け部（５３）は、前記ピンチ本体（５１）が前記供給管（２５）またはポンプ（２２）に保持された状態でピンチ本体（５１）から供給管（２５）側に向かって、供給管（２５）との距離が広がるように伸びていることを特徴とするポンプ式容器用ピンチ。
【請求項３】
内容液を入れる容器本体（１０）と、
この容器本体（１０）の口部（１１）に着脱可能に設けられた蓋体（２１）と、この蓋体（２１）に設けられたポンプ（２２）と、このポンプ（２２）を作動させてノズル（２３）から内容液を放出させる操作部（２４）と、前記ポンプ（２２）に接続され、前記容器本体（１０）内の内容液をポンプ（２２）に供給する供給管（２５）とを有するポンプ組立体（２０）と、
を備えたポンプ式容器の前記ポンプ組立体（２０）の供給管（２５）またはポンプ（２２）に設けられ、前記蓋体（２１）を容器本体（１０）から取り外した状態で、容器本体（１０）の口部（１１）に掛けられることで、前記ポンプ組立体（２０）を前記口部（１１）で支持する引っ掛け部材（３０）であって、
Ｃリング状のリング部（３１）と、このリング部（３１）と一体の掛け部（３２）とを有し、リング部（３１）に供給管（２５）またはポンプ（２２）を圧入して取り付けられることを特徴とするポンプ式容器用引っ掛け部材。
【手続補正３】
【補正対象書類名】明細書
【補正対象項目名】０００１
【補正方法】変更
【補正の内容】
【０００１】
本発明は、ポンプ式容器およびポンプ式容器用ピンチ、ポンプ式容器用引っ掛け部材に関するものである。
【手続補正４】
【補正対象書類名】明細書
【補正対象項目名】０００８
【補正方法】変更
【補正の内容】
【０００８】
上記課題を解決するために本発明のポンプ式容器は、
内容液を入れる容器本体と、
この容器本体の口部に着脱可能に設けられた蓋体と、この蓋体に設けられたポンプと、このポンプを作動させてノズルから内容液を放出させる操作部と、前記ポンプに接続され、前記容器本体内の内容液をポンプに供給する供給管とを有するポンプ組立体と、
を備えたポンプ式容器であって、
前記ポンプ組立体の供給管またはポンプに設けられ、前記蓋体を容器本体から取り外した状態で、容器本体の口部に掛けられることで、前記ポンプ組立体を前記口部で支持する引っ掛け部を有し、
この引っ掛け部は、Ｃリング状のリング部と、このリング部と一体の掛け部とを有し、リング部に供給管またはポンプを圧入して取り付けられることを特徴とする。
また、上記課題を解決するために本発明のポンプ式容器用引っ掛け部材は、
内容液を入れる容器本体と、
この容器本体の口部に着脱可能に設けられた蓋体と、この蓋体に設けられたポンプと、このポンプを作動させてノズルから内容液を放出させる操作部と、前記ポンプに接続され、前記容器本体内の内容液をポンプに供給する供給管とを有するポンプ組立体と、
を備えたポンプ式容器の前記ポンプ組立体の供給管またはポンプに設けられ、前記蓋体を容器本体から取り外した状態で、容器本体の口部に掛けられることで、前記ポンプ組立体を前記口部で支持する引っ掛け部材であって、
Ｃリング状のリング部と、このリング部と一体の掛け部とを有し、リング部に供給管またはポンプを圧入して取り付けられることを特徴とする。
【手続補正５】
【補正対象書類名】明細書
【補正対象項目名】０００９
【補正方法】変更
【補正の内容】
【０００９】
このポンプ式容器ないしポンプ式容器用引っ掛け部材によれば、容器本体から取り外したポンプ組立体を、引っ掛け部で容器本体の口部に支持することができる。引っ掛け部は、ポンプ組立体の供給管またはポンプに設けられるので、ポンプ組立体を、少なくともその供給管が容器本体内に配置される状態で支持することができる。
したがって、供給管に内容液が付着していたり、管内に内容液が残存していたとしても、それによって容器周辺が汚れるということがなくなる（少なくとも汚れにくくなる）。
また、例えば特許文献２に見られるような注入口も設ける必要が無いため、外観が損なわれるおそれもない。
【手続補正６】
【補正対象書類名】明細書
【補正対象項目名】００１０
【補正方法】変更
【補正の内容】
【００１０】
すなわち、このポンプ式容器ないしポンプ式容器用引っ掛け部材によれば、ポンプ組立体を取り外しても容器本体周辺等を汚すことなく（少なくとも汚しにくく）、また、外観も損なわれないようにすることができる。
【手続補正７】
【補正対象書類名】明細書
【補正対象項目名】００１１
【補正方法】変更
【補正の内容】
【００１１】
また、上記課題を解決するために本発明のポンプ式容器用ピンチは、
内容液を入れる容器本体と、
この容器本体の口部に着脱可能に設けられた蓋体と、この蓋体に設けられたポンプと、このポンプを作動させてノズルから内容液を放出させる操作部と、前記ポンプに接続され、前記容器本体内の内容液をポンプに供給する供給管とを有するポンプ組立体と、
を備えたポンプ式容器のためのピンチであって、
前記ポンプ組立体の供給管またはポンプを挟むことで当該供給管またはポンプに保持されるピンチ本体と、このピンチ本体に設けられ、前記蓋体を容器本体から取り外した状態で、容器本体の口部に掛けられることで、前記ポンプ組立体を前記口部で支持する引っ掛け部を有し、
この引っ掛け部は、前記ピンチ本体が前記供給管またはポンプに保持された状態でピンチ本体から供給管側に向かって、供給管との距離が広がるように伸びていることを特徴とする。
【手続補正８】
【補正対象書類名】明細書
【補正対象項目名】００２３
【補正方法】変更
【補正の内容】
【００２３】
引っ掛け部３０は、供給管２５またはポンプ２２に一体的に形成することもできるし、例えば図１（ｃ）（ｄ）に示すように、別体に形成して、供給管２５またはポンプ２２に装着するように構成することもできる。別体に形成した引っ掛け部３０は引っ掛け部材であるとも言える。
【手続補正書】
【提出日】令和1年9月14日(2019.9.14)
【手続補正１】
【補正対象書類名】特許請求の範囲
【補正対象項目名】全文
【補正方法】変更
【補正の内容】
【特許請求の範囲】
【請求項１】
内容液を入れる容器本体（１０）と、
この容器本体（１０）の口部（１１）に着脱可能に設けられた蓋体（２１）と、この蓋体（２１）に設けられたポンプ（２２）と、このポンプ（２２）を作動させてノズル（２３）から内容液を放出させる操作部（２４）と、前記ポンプ（２２）に接続され、前記容器本体（１０）内の内容液をポンプ（２２）に供給する供給管（２５）とを有するポンプ組立体（２０）と、
を備えたポンプ式容器のためのピンチであって、
前記ポンプ組立体（２０）の供給管（２５）またはポンプ（２２）を挟むことで当該供給管（２５）またはポンプ（２２）に保持されるピンチ本体（５１）と、このピンチ本体（５１）に設けられ、前記蓋体（２１）を容器本体（１０）から取り外した状態で、容器本体（１０）の口部（１１）に掛けられることで、前記ポンプ組立体（２０）を前記口部（１１）で支持する引っ掛け部（５３）を有し、
この引っ掛け部（５３）は、前記ピンチ本体（５１）が前記供給管（２５）またはポンプ（２２）に保持された状態でピンチ本体（５１）から供給管（２５）側に向かって、供給管（２５）との距離が広がるように伸び、
前記引っ掛け部（５３）は、前記挟み部（５４）より摘み部（５５）側に設けられていることを特徴とするポンプ式容器用ピンチ。
【手続補正３】
【補正対象書類名】明細書
【補正対象項目名】０００１
【補正方法】変更
【補正の内容】
【０００１】
本発明は、ポンプ式容器用ピンチに関するものである。
【手続補正４】
【補正対象書類名】明細書
【補正対象項目名】０００７
【補正方法】変更
【補正の内容】
【０００７】
本発明が解決しようとする課題は、ポンプ組立体を取り外しても容器本体周辺等を汚すことなく（少なくとも汚しにくく）、また、外観も損なわれないポンプ式容器用ピンチを提供することである。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
上記課題を解決するために本発明のポンプ式容器用ピンチは、
内容液を入れる容器本体と、
この容器本体の口部に着脱可能に設けられた蓋体と、この蓋体に設けられたポンプと、このポンプを作動させてノズルから内容液を放出させる操作部と、前記ポンプに接続され、前記容器本体内の内容液をポンプに供給する供給管とを有するポンプ組立体と、
を備えたポンプ式容器のためのピンチであって、
前記ポンプ組立体の供給管またはポンプを挟むことで当該供給管またはポンプに保持されるピンチ本体と、このピンチ本体に設けられ、前記蓋体を容器本体から取り外した状態で、容器本体の口部に掛けられることで、前記ポンプ組立体を前記口部で支持する引っ掛け部を有し、
この引っ掛け部は、前記ピンチ本体が前記供給管またはポンプに保持された状態でピンチ本体から供給管側に向かって、供給管との距離が広がるように伸び、
前記引っ掛け部は、前記挟み部より摘み部側に設けられていることを特徴とする。
【手続補正９】
【補正対象書類名】明細書
【補正対象項目名】００２７
【補正方法】変更
【補正の内容】
【００２７】
このポンプ式容器用ピンチ５０は、ポンプ組立体２０の供給管２５またはポンプ２２を挟むことで供給管２５またはポンプ２２に保持されるピンチ本体５１と、このピンチ本体５１に設けられ、例えば図２（ｄ）に示すように蓋体２１を容器本体１０から取り外した状態で、容器本体１０の口部１１に掛けられることで、ポンプ組立体２０を口部１１で支持する引っ掛け部５３とを有している。なお、ピンチ本体５１の基本構成自体は公知の構成を採用でき、ピンチ本体５１は、図示しない付勢部材で供給管２５等を挟み部５４で挟持する方向に常時付勢されている。図２（ｂ）（ｃ）において５５は摘み部である。図示のピンチ本体５１は供給管２５を挟むのに適した大きさ、形状となっているが、ポンプ２２を挟むのに適した大きさ、形状とすることもできる。
【手続補正１０】
【補正対象書類名】明細書
【補正対象項目名】００３６
【補正方法】変更
【補正の内容】
【００３６】
同様に、例えば図４に示すように、ポンプ式容器用ピンチ５０のピンチ本体５１と引っ掛け部５３の形状も、容器本体１０に対しポンプ組立体２０を傾斜状態で支持するのに適した形状とすることができる。引っ掛け部５３は、挟み部５４より摘み部５５側に設けられている。
【手続補正１１】
【補正対象書類名】図面
【補正対象項目名】図２
【補正方法】変更
【補正の内容】
【図２】
2020007004.tif 000007
【手続補正１２】
【補正対象書類名】図面
【補正対象項目名】図４
【補正方法】変更
【補正の内容】
【図４】
2020007004.tif 000008